(57)【要約】【課題】発光素子を組み込む時に、招き易い損壊を解決でき、且つ損壊した発光素子を随時に取り替えて、生産上の浪費を減少できるコネクタとそのハウジングを提供する。【解決手段】少なくとも１つの発光素子２２を取り付けるのに用いられるコネクタのハウジングであって、前記ハウジング１１は、前記発光素子２２に収容された少なくとも１つのスロット１３、前記スロット１３に設置された複数の係合要素２３２１ａ、２３２１ｂ、及び前記スロット１３の開いた側に設置された少なくとも１つのストッパー２１１を含み、前記係合要素２３２１ａ、２３２１ｂは、前記発光素子２２にそれぞれ接触し、前記ストッパー２１１は、前記係合要素２３２１ａ、２３２１ｂ及び前記発光素子２２と互いに接する。【選択図】  図２
2008277298.tif 000002
【特許請求の範囲】
【請求項１】
少なくとも１つの発光素子を取り付けるのに用いられるコネクタのハウジングであって、前記ハウジングは、
前記発光素子に収容された少なくとも１つのスロット、
前記スロットに設置された複数の係合要素、及び
前記スロットの開いた側に設置された少なくとも１つのストッパーを含み、
前記係合要素は、前記発光素子にそれぞれ接触し、前記ストッパーは、前記係合要素及び前記発光素子と互いに接することを特徴とするコネクタのハウジング。
【請求項２】
発光素子、
複数のピン、及び
前記ピンを覆い、前記発光素子を収容する少なくとも１つのスロット、前記スロットに設置される複数の係合要素と、前記スロットの開いた側に設置される少なくとも１つのストッパーを有するハウジングを含み、
前記係合要素は、前記発光素子とそれぞれ接触し、前記ストッパーは、前記係合要素及び前記発光素子と互いに接することを特徴とするコネクタ。
【請求項３】
前記スロットは、底壁と、前記底壁の長さ側に沿って設置された２つの側壁より定義され、且つ前記係合要素は、前記ハウジングの前記側壁上にそれぞれ相対して設置されることを特徴とする請求項２に記載のコネクタ。
【請求項４】
前記係合要素は、前記ハウジングの前記側壁にそれぞれ一体成型されるか、或いは接着、係合、ラッチ止め或いは溶接の方式で前記側壁上に設置されることを特徴とする請求項３に記載のコネクタ。
【請求項５】
前記係合要素は、ストライプ状であり、且つ一時的に変形可能な材料から構成されることを特徴とする請求項２に記載のコネクタ。
【請求項６】
前記発光素子は、少なくとも１つのリードを有し、前記ストッパーは、前記リードに更に接することができることを特徴とする請求項２に記載のコネクタ。
【請求項７】
前記ストッパーは、第一頂部と第二頂部を更に有し、第一頂部の一部が前記スロット内に収容され、前記ハウジングは、少なくとも１つのホールを更に有し、第二頂部を固定するのに用いられることを特徴とする請求項２に記載のコネクタ。
【請求項８】
前記ストッパーは、前記発光素子を一部遮蔽するように用いられ、前記ストッパーの第一頂部は、前記係合要素と前記発光素子と接し、前記ストッパーは、高分子化合物であることを特徴とする請求項２に記載のコネクタ。
【請求項９】
前記ハウジングの上に設置され、且つ、前記スロットを露出する上蓋を更に有し、前記上蓋は、Ｔ字形であることを特徴とする請求項２に記載のコネクタ。
【請求項１０】
前記発光素子は、発光ダイオード、有機エレクトロルミネセンス素子、或いはレーザーダイオードであり、前記ピンは、例えば、ＲＪ−４５コネクタ、ＲＪ−１１コネクタ、或いはＵＳＢコネクタの特定のコネクタと接続するのに用いられることを特徴とする請求項２に記載のコネクタ。
【発明の詳細な説明】
【技術分野】
【０００１】
本発明は、コネクタのハウジング及びコネクタに関し、特に、加工回数を減少でき、且つ再加工（ｒｅｗｏｒｋ）に有利なコネクタのハウジング及びコネクタに関するものである。
【背景技術】
【０００２】
情報科学技術の迅速な発展に伴い、電子と情報製品の応用もますます広がり、コンピューターシステムとそれに相関する周辺産業の進歩は尚更である。コンピューターの大量普及に、ネットワーク技術の迅速な発展が更に加わったことで、ネットワークによって必要なデータを迅速に得ることができ、多様化した情報サービスを更に提供し、人類により便利で快適な生活環境を提供できるようになった。そして、コネクタとしてＲＪ−４５コネクタ、ＲＪ−１１コネクタ、或いはＵＳＢコネクタが知られている（例えば特許文献１〜３）。
【０００３】
よって、信頼性の高いコネクタが既に現在のインターネットの迅速な発展には、不可欠なものとなっている。従来技術を図１Ａ、図１Ｂを参照して説明する。図１Ａは従来のＲＪ−４５型のコネクタにＬＥＤが設置されていない概略図である。図１Ｂは図１ＡのＲＪ−４５型のコネクタにＬＥＤが設置された概略図である。従来のＲＪ−４５型のコネクタ１は、全て発光ダイオード（Ｌｉｇｈｔ  Ｅｍｉｔｔｉｎｇ  Ｄｉｏｄｅ，ＬＥＤ）１２を取り付けてあり、使用者にＲＪ−４５型のコネクタ１のコネクタともう１つの素子がしっかりと接続しているか否かを識別させる助けをする。発光ダイオード１２を取り付ける時、従来の作法は、ＲＪ−４５型のコネクタ１のハウジング１１に発光ダイオード１２を入れるスロット１３を形成する。発光ダイオード１２がスロット１３に入れられて、空間を形成した後、発光ダイオード１２とＲＪ−４５型のコネクタ１のハウジング１１の隙間に接着剤を付け、乾燥させて固定する方式によって、発光ダイオード１２をＲＪ−４５型のコネクタ１のハウジング１１のスロット１３に固定させる。しかしながら、発光ダイオード１２が乾燥されるプロセスで、発光ダイオード１２にダメージを生じさせ易く、使用不能となり、工場の生産歩留まりの低減を招く。
【０００４】
また、発光ダイオード１２とＲＪ−４５型のコネクタ１のハウジング１１が接着剤を付けた後に、乾燥させて固定されることから、品質管理時に発光ダイオード１２に欠陥を発見しても、発光ダイオード１２が既に固定されているため、解体して、破損した部分を交換することもできず、廃棄しなければならない。よって、工場の生産上莫大な負担と出費をもたらす。
【特許文献１】特許第４０３７７７９号公報
【特許文献２】特公平７−１２２８４２号公報
【特許文献３】特許第３９７４４１１号公報
【０００５】
これに鑑み、如何にして、加工回数、生産コストを効果的に減少し、発光素子の損壊を避け、再加工に有利なハウジングとそのコネクタを提供するかが重要な課題の１つとなる。
【発明の開示】
【発明が解決しようとする課題】
【０００６】
上述の問題を解決するために、本発明は、発光素子を組み込む時に、招き易い損壊を解決でき、且つ損壊した発光素子を随時に取り替えて、生産上の浪費を減少できるコネクタのハウジング及びコネクタを提供する。
【課題を解決するための手段】
【０００７】
上述の目的を達するために、発光素子を取り付けるのに用いるコネクタのハウジングを提供する。ハウジングは、発光素子を収容するのに用いられる少なくとも１つのスロット、スロット上に設置される複数の係合要素と、スロットの開いた側に設置される少なくとも１つのストッパーを含み、係合要素は、発光素子とそれぞれ接触し、ストッパーは、係合要素及び前記発光素子と互いに接する。
【０００８】
上述の目的を達するために、コネクタを更に提供する。コネクタは、発光素子、複数のピンとハウジングを含み、ハウジングは、ピンを覆い、且つ発光素子を収容するスロット、スロットに設置される複数の係合要素と、スロットの開いた側に設置される少なくとも１つのストッパーを有する。係合要素は、発光素子とそれぞれ接触し、ストッパーは、係合要素及び前記発光素子と互いに接する。
【０００９】
上述のハウジングとそのコネクタのように、スロットは、底壁と、底壁の長さ側に沿って設置された２つの側壁より定義される。係合要素は、ハウジングの側壁上にそれぞれ相対して設置され、ハウジングの側壁にそれぞれ一体成型される。接着、係合、ラッチ止め或いは溶接の方式で側壁上に設置される。係合要素は、ストライプ状で、一時的に変形可能な材料から構成される。発光素子は、少なくとも１つのリードを有し、ストッパーは、前記リードに更に接することができる。ストッパーは、第一頂部と第二頂部を更に有し、第一頂部の一部分がスロット内に収容され、ハウジングは、少なくとも１つのホールを更に有し、第二頂部を固定するのに用いられる。ストッパーは、前記発光素子を一部遮蔽して覆うように用いられる。ストッパーの第一頂部は、前記係合要素と前記発光素子と接し、ストッパーは、高分子化合物である。ハウジングは、上蓋と接続される。上蓋は、ハウジングの上方に設置されることによって、スロットを露出する。上蓋は、Ｔ字形である。発光素子は、発光ダイオード、有機エレクトロルミネセンス素子、或いはレーザーダイオードである。
【００１０】
上述のコネクタのように、複数のピンは、ＲＪ−４５コネクタ、ＲＪ−１１コネクタ、或いはＵＳＢコネクタの特定のコネクタと接続するのに用いられる。
【発明の効果】
【００１１】
本発明の係合要素は、ストッパーの設計を加えて、発光素子を固定している。構造上の固定を採用していることから、製造上、接着剤、乾燥などのプロセスを効果的に省き、製造コストの支出コストを省くことができる。加熱して乾燥するプロセスを省いたことから、発光素子が熱により故障を招く比率も減少し、製品の信頼性を高めることができる。また、係合要素自身が変形可能な材料であることから、組み立てた後に、仮に、発光素子に故障を検出した時に、ハウジングを破壊しない方式で、故障した発光素子を取り出して交換すれば良く、コネクタを全部廃棄する必要がないので、再加工のために掛かるコストも省き、工場の生産の競争力を高めることができる。
【発明を実施するための最良の形態】
【００１２】
本発明についての目的、特徴、長所がいっそう明確に理解されるよう、以下に実施形態を例示し、図面を参照にしながら、詳細に説明する。
【００１３】
図２、図３Ａと図３Ｂを参照して説明する。図２は、本発明の好ましい実施例に基づいたコネクタの概略図であり、図３Ａは、図２の中のハウジングの概略図であり、図３Ｂは、図３ＡのＡ部分の拡大概略図である。本発明の好ましい実施例に基づいたコネクタ２は、発光素子２２、複数のピン（図示しない）と、ハウジング２１を含む。ハウジング２１は、ピンを覆い（図示しない）、且つ少なくとも１つのスロット２３、複数の係合要素２３２１ａ、２３２１ｂと、少なくとも１つのストッパー２１１を有する。切り込み溝であるスロット２３はコネクタ２の長さ方向に形成されており、その長さ方向は先方へ向けて開口している。スロット２３は、底壁２３１と、底壁２３１の長さ側に沿って設置された２つの側壁２３２ａ、２３２ｂより定義され、発光素子２２を収容するのに用いられる。２つの側壁２３２ａ、２３２ｂは、長さ方向に直交する幅方向の両側において底壁２３１より立設している。
【００１４】
係合要素２３２１ａ、２３２１ｂは、スロット２３の側の側壁２３２ａ、２３２ｂ上にそれぞれ相対して設置される。また、係合要素２３２１ａ、２３２１ｂは、接着、係合、ラッチ止め或いは溶接の方式によって側壁２３２ａ、２３２ｂ上に設置されるか、或いは直接ハウジング２１の側壁２３２ａ、２３２ｂ上に一体成型される。係合要素２３２１ａ、２３２１ｂは、発光素子２２とそれぞれ接触する。すなわち実施例では側壁２３２ａは長さ方向の先端から始まり途中まで形成されているので、係合要素２３２１ａもその長さに形成されることとなる。そして係合要素２３２１ａ、２３２１ｂは側壁２３２ａ、２３２ｂの上部に、スロット２３の内側に向けて突起爪状に設けられている。スロット２３は係合要素２３２１ａ、２３２１ｂを介して上方は開口している。ストッパー２１１がスロット２３の開いた側（すなわち、実施例ではスロット２３の奥側であって上部を開口している箇所）に設置され、係合要素２３２１ａ、２３２１ｂと互いに接した時、発光素子２２が少なくとも１つのリード２２２を有している（実施例ではリード２２２は２つ有している）ことから、ストッパー２１１は、発光素子２２のリード２２２と接することができる。すなわち、ストッパー２１１の第一頂部２１１ａが係合要素２３２１ａ、２３２１ｂに係合することで上方への抜け止めがなされ、ストッパー２１１は、発光素子２２のリード２２２と接する。ピン（図示しない）は、特定のコネクタと接続するのに用いられる。この特定のコネクタは、ＲＪ−４５コネクタ、ＲＪ−１１コネクタ、或いはＵＳＢコネクタである。
【００１５】
上述より、従来のＲＪ−４５型コネクタが複数の加工を要する不便さを改善するために、まず、ハウジング２１上に設置された上蓋２１２を、長さ方向の先端側が幅狭な平面Ｔ字形構造になるように形成するため、側壁２３２ａ、２３２ｂと底壁２３１で形成されたスロット２３が上蓋２１２の両側に各々から露出することができるようになる。すなわち、上蓋２１２は先端側が幅狭なため、スロット１３の上部は開口されている。よって、例えば、発光ダイオード、有機エレクトロルミネセンス素子とレーザーダイオードの発光素子２２をコネクタ２のスロット１３の上側から開口箇所を介して挿入して配置することができる。発光素子２２をスロット２３内に配置するプロセスでは、側壁２３２ａ、２３２ｂ上の係合要素２３２１ａ、２３２１ｂ間の距離が発光素子２２の本体２２１の幅より若干小さいことから、取り付け初めの時に、係合要素２３２１ａ、２３２１ｂが先に本体２２１に接する。係合要素２３２１ａ、２３２１ｂが一時的に変形可能な材料から構成されたストライプ状であることから、操作者がやや大きい力を加えた時、一時的に変形させ、係合要素２３２１ａ、２３２１ｂ間に本体２２１を通過させるのに十分な距離を形成して、本体２２１をスロット１３内に進入させることができる。また、発光素子２２の底部がスロット２３の底壁２３１と接触した時、本体２２１も係合要素２３２１ａ、２３２１ｂに適合して完全に通過し、スロット２３の収容空間内に収容される。係合要素２３２１ａ、２３２１ｂが外力の作用を失った時、元のストライプ状の突出した状態に瞬間的に戻る。よって、係合要素２３２１ａ、２３２１ｂに外力が掛からない状態では、本体２２１は、スロット２３から容易に離れず、抜け止めされて固定の効果を達する。
【００１６】
しかしながら、効果を更に強化するために、より多くのストッパー２１１を設置して発光素子２２のリード２２２を固定することができる。図４に示すように、図４は、図２のストッパー２１１と発光素子２２の組み合わせの概略図である。前段で述べたように、発光素子２２の本体２２１をスロット２３に固定した後、ストッパー２１１を取り付ける。ストッパー２１１は、高分子化合物で構成され、且つ長さ方向に沿って矩形板状の第一頂部２１１ａと第二頂部２１１ｂを前部と後部に連続して有する。よって、取り付け初めの時に、まず、第二頂部２１１ｂをハウジング２１の対応するホール２１３内に挿し込み、固定する。ホール２１３はスロット１３の奥側に形成した縦孔を含む孔状であって、スロット１３に臨んでいる。次に前述の方式に基づいて、第一頂部２１１ａをスロット２３の内に挿入することで、第一頂部２１１ａの一部がスロット２３内に収容される。スロット２３に収容された第一頂部２１１ａの面積の大きさは、実際の状況に基づいて適当に調整することができ、必要であれば、第一頂部２１１ａの全部をスロット２３内に収容することができる。ストッパー２１１が係合要素２３２１ａ、２３２１ｂとリード２２２との間に設置されて、すなわち、実施例では第一頂部２１１ａは係合要素２３２１ａ、２３２１ｂの内側に挿入されると共に、第二頂部２１１ｂをスロット１３の奥側に挿入することで、第一頂部２１１ａ、第二頂部２１１ｂひいてはストッパー２１１は抜け止めされる。第一頂部２１１ａと第二頂部２１１ｂがしっかりと固定された状態にあることから、リード２２２の上部における下方に折り曲げられた箇所にストッパー２１１の下面が当接すると、ストッパー２１１の下向きに圧迫する力の作用を受けたリード２２２が緩んで動く状態を生じることがない。図４に示されるように、前述の係合要素２３２１ａ、２３２１ｂと発光素子２２の本体２２１の接合に従って、発光素子２２とハウジング２１との間の固定性を大きく強化した。
【００１７】
上述のような実施例においては、図で明らかなように以下のようになっている。係合要素２３２１ａ、２３２１ｂ間の空間の幅は側壁２３２ａ、２３２ｂ間の内幅よりわずかに小さく形成されている。そして側壁２３２ａ、２３２ｂ間の内幅は発光素子２２の幅とほぼ同じであり、係合要素２３２１ａ、２３２１ｂ間の空間の幅は発光素子２２の幅より小さく形成されている。また、内向きに逆Ｌ字形状をなした係合要素２３２１ａ、２３２１ｂから底壁２３１までのそれぞれの高さは、発光素子２２の高さとほぼ同じに形成されている。さらに、第一頂部２１１ａの幅は側壁２３２ａ、２３２ｂ間の内幅とほぼ同じであり、このために第一頂部２１１ａの幅は係合要素２３２１ａ、２３２１ｂ間の空間の幅よりわずかに大きく形成されている。また、第二頂部２１１ｂは第一頂部２１１ａよりも幅狭に形成されると共に、奥側へ横向なホール２１３に挿入可能な形状となっている。
【００１８】
前記実施例においては、発光素子２２、コネクタと接続するのに用いられる複数のピン（図示せず）、及び前記ピンを覆い、前記発光素子２２を収容するスロット、前記スロット１３の左右一対の側壁２３２ａ、２３２ｂの上部に設けられる係合要素２３２１ａ、２３２１ｂと、前記スロット２３の開いた側であるホール２１３に設置されるストッパー２１１を有するハウジング１１を含み、
前記係合要素２３２１ａ、２３２１ｂは、前記発光素子２２とそれぞれ接触して上方への抜け止めをなし、前記ストッパー２１１は、前記係合要素２３２１ａ、２３２１ｂ及び前記発光素子２２と互いに接するようにして上方への抜け止めをなしている。
【００１９】
また、前記スロット１３は、底壁２３１と、前記底壁２３１の長さ側に沿って設置された２つの側壁２３２ａ、２３２ｂより形成され、且つ前記係合要素２３２１ａ、２３２１ｂは、前記ハウジング１１の前記側壁２３２ａ、２３２ｂ上にそれぞれ相対して内側向きにやや突設して設置されてので、スロット１３に上方から挿入した発光素子２２やそのストッパー２１１の上方への抜け止めを図ることができる。
【００２０】
さらに前記係合要素２３２１ａ、２３２１ｂは、前記ハウジング１１の前記側壁２３２ａ、２３２ｂにそれぞれ一体成型されるか、或いは接着、係合、ラッチ止め或いは溶接の方式で前記側壁２３２ａ、２３２ｂの上部に設置されている。
【００２１】
そして、前記係合要素２３２１ａ、２３２１ｂは、ストライプ状、すなわち直線的な腺条であり、且つ一時的に変形可能な材料から構成されることで、係合要素２３２１ａ、２３２１ｂに多少大きさ力を加えることで、係合要素２３２１ａ、２３２１ｂの間隔を広げて発光素子２２やストッパー２１１入れたり、或いは逆に引き出したりすることができる。
【００２２】
また、前記発光素子２２は、リード２２２を有し、前記ストッパー２１１は、前記リード２２２に上側から接することができるようにしたことで、リード２２２が押さえられて、発光素子２２を固定することができる。一方ストッパー２１１を取り去ることで、押さえは解除されることＴなる。
【００２３】
また、前記ストッパー２１１は、長さ方向の先端側の第一頂部２１１ａと反対側の第二頂部２１１ｂを更に有し、第一頂部２１１ａの一部が前記スロット２３内に収容され、前記ハウジング１１は、奥側にホール２１３を長さ方向に更に有し、第二頂部２１１ｂを挿入して固定するのに用いられることで、ストッパー２１１の第一頂部２１１ａは係合要素２３２１ａ、２３２１ｂによって着脱自在に抜け止めされ、第二頂部２１１ｂもホール２１３によって着脱自在に抜け止めされるようになる。
【００２４】
しかも、前記ストッパー２１１は、前記発光素子２２を一部遮蔽して覆うように用いられ、前記ストッパー２１１の第一頂部２１１ａは、その上部を前記係合要素２３２１ａ、２３２１ｂと接し、また下部を前記発光素子２２と接することで、発光素子２２を着脱可能であっても確実に固定することができる。また、前記ストッパー２１１は、高分子化合物、すなわち合成樹脂製であることにより、多少の変形が可能となり、係合要素２３２１ａ、２３２１ｂとの係合やホール２１３への挿入を確実に行うことができる。
【００２５】
さらに、前記ハウジング１１の上に設置され、且つ、前記スロット２３の上部開口をあらわすように露出して設けられる上蓋２１２を更に有し、前記上蓋２１２は、長さ方向の先端側が左右の幅が狭く形成したＴ字形であることで、長さ方向の先端側ではスロット２３の上部開口をあらわし、一方奥側をハウジング２１の上部を覆うように設けることができる。
【００２６】
しかも、前記発光素子２２は、発光ダイオード（Ｌｉｇｈｔ  Ｅｍｉｔｔｉｎｇ  Ｄｉｏｄｅ，ＬＥＤ）、有機エレクトロルミネセンス素子（Ｏｒｇａｎｉｃ Ｅｌｅｃｔｒｏｌｕｍｉｎｅｓｃｅｎｔ Ｄｅｖｉｃｅ，ＯＬＥＤ）、或いはレーザーダイオード（Ｌａｓｅｒ  Ｄｉｏｄｅ，ＬＤ）であり、前記ピンは、例えば、ＲＪ−４５コネクタ、ＲＪ−１１コネクタ、或いはＵＳＢコネクタの特定のコネクタと接続するのに用いられることにより、各種のコネクタに利用することができるようになる。
【００２７】
上述のようにすることで、係合要素２３２１ａ、２３２１ｂは、ストッパー２１１を加えて、発光素子２２を固定している。構造上の固定を採用していることから、製造上、接着剤、乾燥などのプロセスを効果的に省き、製造コストの支出コストを省くことができる。加熱して乾燥するプロセスを省いたことから、発光素子２２が熱により故障を招く比率も減少し、製品の信頼性を高めることができる。また、係合要素２３２１ａ、２３２１ｂ自身が変形可能な材料であることから、組み立てた後に、仮に、発光素子２２に故障を検出した時に、ハウジング２１を破壊しない方式で、故障した発光素子２２を取り出して交換すれば良く、コネクタ２を全部廃棄する必要がないので、再加工のために掛かるコストも省き、工場の生産の競争力を高めることができる。
【００２８】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２９】
【図１Ａ】従来のＲＪ−４５型のコネクタにＬＥＤが設置されていない斜視図である。
【図１Ｂ】図１ＡのＲＪ−４５型のコネクタにＬＥＤが設置した斜視図である。
【図２】本発明の好ましい実施例に基づいたコネクタの斜視図である。
【図３Ａ】図２の中のハウジングの斜視図である。
【図３Ｂ】図３Ａのスロットの拡大斜視図である。
【図４】図２のストッパーと発光素子の組み合わせの斜視図である。
【符号の説明】
【００３０】
１  ＲＪ−４５型のコネクタ
１１、２１  ハウジング
１２  発光ダイオード
１３  スロット
２  コネクタ
２１  ハウジング
２１１  ストッパー
２１１ａ  第一頂部
２１１ｂ  第二頂部
２１２  上蓋
２１３  ホール（開いた側）
２２  発光素子
２２１  本体
２２２  リード
２３  スロット
２３１  底壁
２３１ａ、２３１ｂ  側壁
２３２１ａ、２３２１ｂ  係合要素
【図１Ａ】
2008277298.tif 000003
【図１Ｂ】
2008277298.tif 000004
【図２】
2008277298.tif 000005
【図３Ａ】
2008277298.tif 000006
【図３Ｂ】
2008277298.tif 000007
【図４】
2008277298.tif 000008